(57)【特許請求の範囲】
【請求項１】
基端部を支点として揺動自在なシフトレバーの先端部にノブが設けられるシフトレバー装置であって、
前記ノブは、
押圧操作されることで前記シフトレバーの揺動が許容されるボタンと、
前記ボタンを移動自在に支持するボタン支持部材と、
前記ボタン支持部材が挿入配置される凹所を備えるノブ本体と、
前記凹所に挿入配置されたボタン支持部材が前記ノブ本体に保持される保持部と、を備え、
前記保持部は、
前記ノブ本体の壁部を、前記ボタン支持部材の前記凹所に対する挿入方向と交差する方向に貫通する嵌合孔と、
前記ボタン支持部材に設けられ、前記嵌合孔に整合する嵌合孔部と、
前記嵌合孔及び前記嵌合孔部に挿入される嵌合部材と、を備え、
前記ボタン支持部材の前記嵌合孔部は、前記嵌合孔に向けて突出する突部に形成され、
前記ノブ本体は、前記突部に対し、前記ボタン支持部材の前記凹所への挿入方向と交差する方向の両側に、当該突部に接触する外側突部が設けられていることを特徴とするシフトレバー装置。
【請求項２】
前記ノブ本体に、前記保持部を覆う蓋部材が取り付けられていることを特徴とする請求項１に記載のシフトレバー装置。
【発明の詳細な説明】
【技術分野】
【０００１】
本発明は、車両に搭載される変速機を切り替え操作するためのシフトレバー装置に関する。
【背景技術】
【０００２】
シフトレバー装置として、特許文献１には、シフトレバーのノブに設けたボタンを操作することで、変速機におけるシフトポジションの切り替えが可能となることが開示されている。
【０００３】
特許文献１に記載されたシフトレバー装置のノブは、ボタンがボタン支持部材に対して揺動自在に支持され、ボタン支持部材がノブ本体に取り付けられる。ボタン支持部材は、ノブ本体の一側部に設けた開口部から挿入することで、上壁に設けてある弾性嵌合片がノブ本体の嵌合孔に嵌合し、ノブ本体に対して抜け止めがなされる。
【先行技術文献】
【特許文献】
【０００４】
【特許文献１】特開２００８−３０６８０号公報
【発明の概要】
【発明が解決しようとする課題】
【０００５】
特許文献１に記載されたシフトレバー装置は、ボタン支持部材をノブ本体の開口部から挿入することによって、弾性嵌合片が嵌合孔に嵌合する構造となっている。このため、ボタンが衝撃を受けたときに、弾性嵌合片の嵌合孔に対する嵌合状態が解除されやすく、ボタン支持部材がボタンと共にノブ本体から外れる恐れがあり、ボタンのノブ本体からの抜け止めが不充分となる可能性がある。
【０００６】
そこで、本発明は、ノブに設けられたボタンのノブ本体からの抜け止めをより確実なものとすることを目的としている。
【課題を解決するための手段】
【０００７】
本発明は、基端部を支点として揺動自在なシフトレバーの先端部にノブが設けられるシフトレバー装置である。前記ノブは、押圧操作されることで前記シフトレバーの揺動が許容されるボタンと、前記ボタンを移動自在に支持するボタン支持部材と、前記ボタン支持部材が挿入配置される凹所を備えるノブ本体と、前記凹所に挿入配置されたボタン支持部材が前記ノブ本体に保持される保持部と、を備える。前記保持部は、前記ノブ本体の壁部を、前記ボタン支持部材の前記凹所に対する挿入方向と交差する方向に貫通する嵌合孔と、前記ボタン支持部材に設けられ、前記嵌合孔に整合する嵌合孔部と、前記嵌合孔及び前記嵌合孔部に挿入される嵌合部材と、を備える。前記ボタン支持部材の前記嵌合孔部は、前記嵌合孔に向けて突出する突部に形成され、前記ノブ本体は、前記突部に対し、前記ボタン支持部材の前記凹所への挿入方向と交差する方向の両側に、当該突部に接触する外側突部が設けられている。
【発明の効果】
【０００８】
本発明によれば、ノブ本体の嵌合孔及びボタン支持部材の嵌合孔部に嵌合部材を挿入する構造としているので、ノブ本体にボタン支持部材がより確実に保持され、ボタンのノブ本体からの抜け止めをより確実なものとすることができる。
また、ボタン支持部材が組付けられたボタンを、ノブ本体の凹所に挿入する際に、ボタン支持部材の突部が、ノブ本体の外側突部の内側にてガイドされる。このため、ボタン支持部材が組付けられたボタンのノブ本体に対する組み付け性が向上する。ボタンの挿入組み付け後は、ボタン支持部材の突部が、ノブ本体の外側突部によって両側から保持されるので、挿入方向に対して直交する左右方向の保持性が向上する。
【図面の簡単な説明】
【０００９】
【図１】本発明の第１の実施形態に係わるシフトレバーのノブのボタンを含む断面図である。
【図２】図１に対し、ノブを押圧操作した状態を示す断面図である。
【図３】図２のＡ−Ａ断面図である。
【図４】図１のノブの斜視図である。
【図５】図４のノブの分解斜視図である。
【図６】図１に対し、キャップを外した状態を示す断面図である。
【図７】図３に対し、キャップを外した状態を示す断面図である。
【図８】本発明の第２の実施形態に係わるシフトレバーのノブの分解斜視図である。
【発明を実施するための形態】
【００１０】
以下、本発明の実施の形態を図面に基づき説明する。
【００１１】
図１〜図５は、本発明の第１の実施形態に係わるシフトレバー装置のシフトレバー１の先端部に設けられるノブ３を示す。シフトレバー１は、図示しない下部側の基端部を支点として、車体側に設けてあるシフトレバー装置のハウジングに対し、車両の前後方向に揺動することで、変速機に対するシフトチェンジがなされる。
【００１２】
ノブ３は、外装材となる被覆部３１を備えている。被覆部３１の図１中で右側の側部に開口部３１ａが形成され、開口部３１ａに対応する位置にボタン５が設けられている。ボタン５を開口部３１ａから内部に押し込むように図１中で左方向に押圧操作することで、リンク部材７を介して、ディテントロッド９が押下げられる。
【００１３】
ディテントロッド９は、図示しない圧縮コイルスプリングによって上方に向けて付勢されていて、図１中で下部側の基端側に図示しないディテントピンを備えている。ディテントロッド９が押下げられることで、ディテントピンは、車体側のハウジングに設けてあるディテント孔との係合が解除され、シフトレバー１の揺動操作が許容される。
【００１４】
ボタン５は、ボタン支持部材１１に開口部３１ａと交差する方向に設けられたボタン支持ピン１３を介して揺動自在に支持されている。ボタン５は、ボタン支持ピン１３に巻き掛けられたねじりコイルスプリング１５によって図１中で時計回り方向、すなわちボタン５を押圧操作する方向、に向けて付勢されている。ボタン支持ピン１３は、開口部３１ａ側の上端部付近に位置しており、ボタン５は、ボタン支持ピン１３を中心として下部側が図１中で左右方向に揺動する。
【００１５】
ボタン支持部材１１は、図３中で左右の側壁１７，１９と上壁２１と後壁２２とを備えて内部が中空となっている。図１に示すように、側壁１７，１９の開口部３１ａ側の下端部付近に、リンク支持ピン２３を介してリンク部材７が回転自在に連結されている。リンク支持ピン２３は、ボタン支持ピン１３と平行であり、図１の状態でリンク部材７の下端部付近に位置している。
【００１６】
図１において、リンク部材７は、リンク支持ピン２３の開口部３１ａ側の斜め上方位置に、リンク支持ピン２３と平行な連結ピン２５を備えている。連結ピン２５に対応してボタン５の側部２７には長孔２７ａを設けてある。長孔２７ａは、上端部が下端部よりも開口部３１ａ側に位置するよう傾斜しており、当該長孔２７ａに連結ピン２５の両端を相対移動自在に挿入してある。
【００１７】
ボタン支持部材１１の側壁１７，１９には、連結ピン２５が移動できるような長孔１７ａ，１９ａを設けている。長孔１７ａ，１９ａは、リンク支持ピン２３を中心とした円弧形状としてほぼ左右方向に向けて延設されている。連結ピン２５は、ボタン支持ピン１３を中心としたボタン５の回転移動に伴うリンク部材７のリンク支持ピン２３を中心とした回転移動の際に、長孔２７ａ及び長孔１７ａ，１９ａ内をそれぞれ移動する。
【００１８】
リンク部材７は、ボタン支持部材１１に対し、リンク支持ピン２３を中心として開口部３１ａと反対側の揺動部２９が、上下に揺動する。揺動部２９は、下部側に、ディテントロッド９の上端に当接する当接面２９ａを備えている。
【００１９】
前述したように、ねじりコイルスプリング１５は、ボタン５を押圧操作する方向に向けて付勢しており、この付勢力によって、ボタン５が長孔２７ａを介して連結ピン２５を開口部３１ａと反対側（図１中で左側）に押圧することになる。これにより、リンク部材７は、図１中でリンク支持ピン２３を中心として反時計回り方向、つまり当接面２９ａがディテントロッド９に当接する方向、に押圧されることになる。
【００２０】
ここで、ディテントロッド９を上方に向けて押圧する図示しない圧縮コイルスプリングの弾性力は、ボタン５を開口部３１ａの内部に向けて押圧するねじりコイルスプリング１５の弾性力よりも強く設定している。このため、ボタン５を押圧操作していない状態では、ディテントロッド９が圧縮コイルスプリングの弾性力によって上方に移動し、リンク部材７がリンク支持ピン２３を中心として時計回り方向に回転した図１のロック状態となる。
【００２１】
図１のロック状態から、ボタン５を押圧操作することで、リンク部材７が、リンク支持ピン２３を中心として図１中で反時計回り方向に回転する。リンク部材７は回転することによってディテントロッド９を押し下げ、図２のロック解除状態となる。ロック解除状態で、シフトレバー１は、揺動してシフトチェンジが可能となる。
【００２２】
ノブ３は、被覆部３１の内側に骨格部材となるベース部材３３を一体成形しており、ベース部材３３にボタン支持部材１１を保持させている。ベース部材３３は、ボタン支持部材１１を収容配置する上部に位置する上部収容部３５と、上部収容部３５の下部に位置してディテントロッド９が軸方向に移動自在に収容される円筒形状の下部収容部３７とを備えている。被覆部３１とベース部材３３とでノブ本体を構成している。
【００２３】
上部収容部３５は、図３中で左右の側壁３５ａ，３５ｂ、上壁３５ｃ及び下壁３５ｄを備え、図１に示すように開口部３１ａと反対側に後壁３５ｅを備えている。上部収容部３５は、後壁３５ｅと反対側の開口部３１ａ側が開口していて、内部に凹所としての空間３９が形成されている。空間３９は、全体としてほぼ直方体形状であり、下部収容部３７のディテントロッド９が収容される空間と連通している。ベース部材３３の空間３９に、ボタン支持部材１１が開口部３１ａから挿入される。
【００２４】
上壁３５ｃの図３中で左右方向中央かつ図１中でディテントロッド９の中心よりやや左側には、上方に向けて突出する四角柱形状のベース部材突起４３を設けてあり、ベース部材突起４３の中心に円形の嵌合孔４３ａを、上壁３５ｃも含めて貫通するように形成している。すなわち、ノブ本体の壁部としての上壁３５ｃに、ボタン支持部材１１の空間３９に対する挿入方向と交差する方向に貫通する嵌合孔４３ａが設けられている。なお、ベース部材突起４３は、四角柱形状に限ることはなく、例えば円柱形状でもよい。
【００２５】
上部収容部３５の上壁３５ｃは、上部収容部３５に挿入配置したボタン支持部材１１の上壁２１に対し、一定の間隔を保持している。この状態で、ボタン支持部材１１の上壁２１には、ベース部材突起４３に対応する位置にて上壁３５ｃの嵌合孔４３ａに向けて突出する突部としての支持部材突起４５を設けている。支持部材突起４５は、ベース部材突起４３と同様に四角柱形状や円柱形状でよく、中心に円形の嵌合孔部としての嵌合凹部４５ａを形成している。
【００２６】
嵌合孔４３ａの直径と嵌合凹部４５ａの直径とは、ほぼ同等である。嵌合孔４３ａ及び嵌合凹部４５ａには、嵌合孔４３ａ側から嵌合部材としての嵌合ピン４７を挿入して嵌合させている。嵌合ピン４７は、例えばスプリングピンで構成される。これにより、ボタン支持部材１１は、ベース部材３３に保持されて、ベース部材３３からの抜け止めがなされる。上記した嵌合孔４３ａと嵌合凹部４５ａと嵌合ピン４７とで、空間３９に挿入配置されたボタン支持部材１１がベース部材３３に保持される保持部を構成している。
【００２７】
図３に示すように、ベース部材３３の上壁３５ｃの下面には、下方に向けて突出する外側突部としての一対のガイド壁４９を設けている。ガイド壁４９は、図３中で紙面に直交する方向に延設されていて、支持部材突起４５の図３中で左右両側の外側に位置し、支持部材突起４５の外側面にほぼ接触している。ガイド壁４９の下端は上壁２１に対して離間している。
【００２８】
図３に示すように、ボタン支持部材１１の側壁１７，１９とベース部材３３の側壁３５ａ，３５ｂとは、相互間に隙間が形成されて互いに離間している。ボタン支持部材１１の側壁１７，１９には、上記隙間内にて、ベース部材３３の側壁３５ａ，３５ｂに向けて突出する、下部被ガイド部１７ｂ，１９ｂと、下部被ガイド部１７ｂ，１９ｂの上部に位置する上部被ガイド部１７ｃ，１９ｃとを設けている。
【００２９】
下部被ガイド部１７ｂ，１９ｂは、図５に示すように、ボタン支持部材１１の開口部３１ａへの挿入方向に沿って直線状に長く形成してある。上部被ガイド部１７ｃ，１９ｃは、円柱形状であり、下部被ガイド部１７ｂ，１９ｂの延設方向に沿って二つずつ設けている。
【００３０】
一方、ベース部材３３の側壁３５ａ，３５ｂには、上記隙間内にて、ボタン支持部材１１の側壁１７，１９に向けて突出するガイド部３５ａ１，３５ｂ１を設けている。ガイド部３５ａ１，３５ｂ１は、ボタン支持部材１１の下部被ガイド部１７ｂ，１９ｂと同方向に沿って直線状に長く形成され、下部被ガイド部１７ｂ，１９ｂと上部被ガイド部１７ｃ，１９ｃとの間に位置する。
【００３１】
被覆部３１は、図５〜図７に示すように、上端面に上下に貫通する上部開口部３１ｂを備え、上部開口部３１ｂには、蓋部材としてのキャップ５１が取り付けられる。キャップ５１は、円形のキャップ本体５３と、キャップ本体５３の凹部５３ａに嵌め込まれて接着剤によって固定される円盤形状の意匠板５５とを備えている。
【００３２】
キャップ本体５３は、下面に一対の係止部５３ｂを備えている。ベース部材３３の上壁３５ｃには、上方に向けて突出する一対の係止爪３５ｆを設けている。図３に示すように、係止部５３ｂが係止爪３５ｆに係止することで、キャップ本体５３がベース部材３３に固定される。
【００３３】
図３に示すように、係止部５３ｂは、係止爪３５ｆの外側に位置している。この状態で、係止部５３ｂを間に挟んで係止爪３５ｆと反対側に、ベース部材３３の上壁３５ｃから上方に向けて突出する支持壁３５ｇが位置している。支持壁３５ｇを設けることによって、係止部５３ｂと係止爪３５ｆとの係止状態がより確実に維持される。
【００３４】
キャップ本体５３の下面には、ベース部材３３のベース部材突起４３の周囲を囲むように、下方突起５１ｃを備えている。キャップ５１を上部開口部３１ｂに装着した状態で、下方突起５１ｃの下端は上壁３５ｃに対して離間し、ベース部材突起４３の上端が下方突起５１ｃの内側の下面にほぼ当接した状態となる。
【００３５】
図１に示すように、ベース部材３３の上壁３５ｃは、開口部３１ａ側に上部開口部３１ｂに向けて屈曲して立ち上がる段部３５ｃ１を備えている。段部３５ｃ１上には、上方に向けて突出する支持突起３５ｈを設けている。キャップ５１を上部開口部３１ｂに装着した状態で、支持突起３５ｈの上端にキャップ本体５３の下面がほぼ当接するか、僅かに離間した状態となる。
【００３６】
嵌合ピン４７は、キャップ５１を外した図６、図７の状態で、被覆部３１の上部開口部３１ｂから、嵌合孔４３ａ及び嵌合凹部４５ａに挿入して嵌合する。嵌合ピン４７を取り付けた後に、キャップ５１を被覆部３１の上部開口部３１ｂに装着する。これにより、嵌合孔４３ａと嵌合凹部４５ａと嵌合ピン４７とを備える保持部が、キャップ５１によって覆われる。
【００３７】
図５に示すように、被覆部３１の開口部３１ａ側には、カバー５７が装着される。カバー５７は、開口部３１ａに対応してカバー開口部５７ａを備えている。カバー５７が装着される被覆部３１の下端からは、ベース部材３３の下部収容部３７が下方に向けて突出している。ベース部材３３の被覆部３１から下方に突出した部位には、クリップ５８が嵌め込まれ、当該部位を覆うように、円筒カバー５９が装着される。
【００３８】
ボタン５は、ボタン支持部材１１とリンク部材７とが組み付けられて、ボタンアセンブリとなる。以下に、ボタンアセンブリのベース部材３３への組み付け手順について説明する。
【００３９】
ボタンアセンブリは、被覆部３１に一体成形されたベース部材３３に対し、図５に示す開口部３１ａからボタン支持部材１１を挿入方向前方側として挿入する。ボタンアセンブリの挿入時には、ボタン支持部材１１の支持部材突起４５が、ベース部材３３の一対のガイド壁４９の内側にてガイド壁４９にガイドされる。このとき、ボタン支持部材１１の下部被ガイド部１７ｂ，１９ｂと上部被ガイド部１７ｃ，１９ｃとの間に、ベース部材３３のガイド部３５ａ１，３５ｂ１が入り込んでガイドされる。
【００４０】
ボタンアセンブリをベース部材３３内に挿入した状態では、図６に示すように、ボタン支持部材１１の後壁２２がベース部材３３の後壁３５ｅに当接する。このとき、ボタン支持部材１１の嵌合凹部４５ａがベース部材３３の嵌合孔４３ａに整合する。この状態で、嵌合ピン４７を嵌合孔４３ａ及び嵌合凹部４５ａに順次挿入して嵌合する。これにより、ボタン支持部材１１は、ベース部材３３に対して組み付けられて抜け止めがなされる。
【００４１】
本実施形態のシフトレバー１のノブ３は、ボタン支持部材１１をベース部材３３に保持させる保持部として、ベース部材３３の上壁３５ｃに設けた嵌合孔４３ａと、ボタン支持部材１１に設けた嵌合凹部４５ａと、これら嵌合孔４３ａ及び嵌合凹部４５ａに挿入される嵌合ピン４７と、を備えている。
【００４２】
その際、嵌合孔４３ａは、ベース部材３３の空間３９に対するボタン支持部材１１の挿入方向と交差する直交方向に貫通し、嵌合凹部４５ａは嵌合孔４３ａに整合している。このため、これら嵌合孔４３ａ及び嵌合凹部４５ａに嵌合ピン４７が挿入されることで、ボタン支持部材１１がベース部材３３から外れるのを抑制でき、ボタン支持部材１１に支持されているボタン５のベース部材３３からの抜け止めがより確実になされる。
【００４３】
本実施形態は、ボタン５にボタン支持部材１１及びリンク部材７が組み付けられたボタンアセンブリを、ベース部材３３の空間３９に挿入する際に、ボタン支持部材１１の支持部材突起４５が、ベース部材３３の一対のガイド壁４９の内側にてガイド壁４９にガイドされる。このため、ボタンアセンブリのベース部材３３に対する組み付け性が向上する。また、ボタンアセンブリの挿入組み付け後は、図３に示すように、ボタン支持部材１１の支持部材突起４５が、ベース部材３３の一対のガイド壁４９によって両側から保持されるので、挿入方向に対して直交する左右方向の保持性が向上する。
【００４４】
本実施形態は、ガイド壁４９が、ベース部材３３の上壁３５ｃから支持部材突起４５の外側を覆うように突出する突出部で構成されている。この場合、ガイド壁４９をベース部材３３の上壁３５ｃから突出するようにしてベース部材３３に一体に形成するという簡素な構成で、ベース部材３３の支持部材突起４５に対するガイド効果及び保持効果を向上させることができる。
【００４５】
本実施形態は、ベース部材３３に、嵌合ピン４７などを備える保持部を覆うキャップ５１が取り付けられている。このため、嵌合ピン４７などを備える保持部がキャップ５１によって覆われ、嵌合ピン４７を被覆部３１の外部から取り付ける構造であるにもかかわらず外観品質の低下が抑制されている。
【００４６】
図８は、本発明の第２の実施形態を示す、図５に対応する分解斜視図である。第２の実施形態は、第１の実施形態と同様の構成要素に同一符号を付してあり、第１の実施形態と異なる部位のみ主として説明する。第２の実施形態の第１の実施形態と異なる部分は、ボタン支持部材１１をベース部材３３に保持させる保持部を、ノブ３の側部に設定していることである。
【００４７】
図８に示すように、被覆部３１のカバー５７が装着される部分の開口部３１ａを間にした両側部に、嵌合ピン４７が挿入される円形の嵌合孔４３０ａを設けている。嵌合孔４３０ａは、被覆部３１の外表面から突出する円筒形状の被覆部突起４３０の中心に、被覆部３１を貫通するようにして設けてある。
【００４８】
嵌合孔４３０ａに対応して、ボタン支持部材１１の側壁１７，１９には、円形の嵌合凹部４５０ａを形成している。嵌合孔４３０ａの直径と嵌合凹部４５０ａの直径とはほぼ同等である。図４の実施形態と同様に、ボタン支持部材１１をベース部材３３の内部に挿入配置した状態で、嵌合ピン４７を嵌合孔４３０ａ及び嵌合凹部４５０ａに挿入して嵌合させる。嵌合ピン４７を嵌合孔４３０ａ及び嵌合凹部４５０ａに嵌合させた後は、カバー５７を被覆部３１の開口部３１ａ側に取付ける。
【００４９】
この場合、嵌合孔４３０ａは、ボタン支持部材１１の空間３９に対する挿入方向と交差する方向に貫通し、嵌合凹部４５０ａは嵌合孔４３０ａに整合している。このため、これら嵌合孔４３０ａ及び嵌合凹部４５０ａに嵌合ピン４７が挿入されることで、第１の実施形態と同様に、ボタン支持部材１１がベース部材３３から外れるのを抑制でき、ボタン支持部材１１に支持されているボタン５のベース部材３３からの抜け止めがより確実になされる。
【００５０】
第２の実施形態においても、嵌合ピン４７などを備える保持部は、蓋部材を構成するカバー５７によって覆われるため、嵌合ピン４７を被覆部３１の外部から取り付ける構造であるにもかかわらず外観品質の低下が抑制されている。
【００５１】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００５２】
例えば、嵌合ピン４７などを備える保持部の構造として、第１の実施形態と第２の実施形態との双方を備えるものでもよい。また、嵌合孔４３ａ，４３０ａ及び嵌合凹部４５ａ，４５０ａは、円形に限らず、四角形などの多角形でもよい。
【符号の説明】
【００５３】
１  シフトレバー
３  ノブ
５  ボタン
１１  ボタン支持部材
３１  被覆部（ノブ本体）
３３  ベース部材（ノブ本体）
３５ｃ  ベース部材の上壁（ノブ本体の壁部）
３９  ベース部材の空間（凹所）
４３ａ，４３０ａ  嵌合孔（保持部）
４５  支持部材突起（突部）
４５ａ，４５０ａ  嵌合凹部（嵌合孔部、保持部）
４７  嵌合ピン（嵌合部材、保持部）
４９  ガイド壁（外側突部）
５１  キャップ（蓋部材）
５７  カバー（蓋部材）
【図１】
0006695185.tif 000002
【図２】
0006695185.tif 000003
【図３】
0006695185.tif 000004
【図４】
0006695185.tif 000005
【図５】
0006695185.tif 000006
【図６】
0006695185.tif 000007
【図７】
0006695185.tif 000008
【図８】
0006695185.tif 000009